(57)【要約】      （修正有）【課題】商品マスタファイルの設定を変更することなく、客用表示部への表示内容を変えることができるＰＯＳレジスタを提供する。【解決手段】顧客の購入商品に付されたコード情報を読み取ることで、記憶手段に記憶された商品情報を読み出し、その商品情報を店員用表示部と客用表示部とに表示するＰＯＳレジスタにおいて、前記店員用表示部と客用表示部とに表示する商品情報を対象とするキーワードと、そのキーワードに対する表示変更情報とを設定記憶させたキーワードファイルを備え、前記購入商品のコード情報の読み取りで読み出した商品情報で前記客用表示部に表示する情報内に、前記キーワードファイルに設定したキーワードが含まれているか否かを検索し、前記読み出した商品情報内に該当するキーワードが含まれている場合、前記キーワードを含む前記商品情報で前記客用表示部に表示する情報を前記表示変更情報に従い変更して前記客用表示部に表示する。【選択図】図６
2013206374.tif 000002
【特許請求の範囲】
【請求項１】
顧客の購入商品に付されたコード情報を読み取ることで、記憶手段に記憶された商品情報を読み出し、その商品情報を店員用表示部と客用表示部とに表示するＰＯＳレジスタにおいて、
前記店員用表示部と客用表示部とに表示する商品情報を対象とするキーワードと、そのキーワードに対する表示変更情報とを設定記憶させたキーワードファイルを備え、
前記購入商品のコード情報の読み取りで読み出した商品情報で前記客用表示部に表示する情報内に、前記キーワードファイルに設定したキーワードが含まれているか否かを検索し、前記読み出した商品情報内に該当するキーワードが含まれている場合、前記キーワードを含む前記商品情報で前記客用表示部に表示する情報を前記表示変更情報に従い前記客用表示部に表示することを特徴とするＰＯＳレジスタ。
【請求項２】
前記キーワードファイルに設定される表示変更情報は、キーワードに応じて設定されていることを特徴とする請求項１記載のＰＯＳレジスタ。
【請求項３】
前記キーワードに対して設定される表示変更情報は、前記読み出した商品情報で前記客用表示部に表示する情報内に含むキーワードを除く、前記読み出した商品情報で前記客用表示部に表示する情報内のキーワード部分を空白にする、前記読み出した商品情報で前記客用表示部に表示する情報内のキーワードを別の文字或いは記号に置き換える、前記読み出した商品情報で前記客用表示部に表示する情報を、商品を分類分けする分類名、或いは部門名に置き換える等の表示態様を変更する情報であることを特徴とする請求項１記載のＰＯＳレジスタ。
【請求項４】
前記ＰＯＳレジスタは購入商品の会計情報をレシートに印字する印字部を備え、該印字部は会計精算時、前記キーワードが含まれた前記読み出した商品情報で前記客用表示部に表示する情報について、前記設定された表示変更情報を無視して前記読み出した商品情報で前記客用表示部に表示する情報をそのまま印字することを特徴とする請求項１乃至３の何れか１項記載のＰＯＳレジスタ。
【発明の詳細な説明】
【技術分野】
【０００１】
本発明は、スーパーマーケット等で会計精算する時に使用されるＰＯＳレジスタに関する。
【背景技術】
【０００２】
スーパーマーケットやドラッグストアー等で、顧客の購入商品を会計精算するのにＰＯＳレジスタが使用されている。このＰＯＳレジスタは、一般的に商品に付されたコード情報（例えば、バーコード）を読み取る読み取り手段（スキャナ部）と、読み取ったコード情報に基づいて商品情報を会計精算を行う店員に向けて表示する店員用表示部と、顧客に向けて表示する客用表示部と、会計精算内容をレシートに印刷する印刷部とを備えている（特許文献１参照）。
そして、前記ＰＯＳレジスタは、読み取り手段（スキャナ部）で顧客の購入商品に付されたコード情報（バーコード）を読み取ると、商品情報を記憶する商品マスタファイルより前記コード情報と一致する商品情報を読み出し、その商品情報を店員用表示部に表示すると共に、商品名と値段が客用表示部に表示されるようになっている。
【０００３】
ところで、レジには会計精算中の顧客以外に、次の会計精算の順番待ちの顧客が並んだ場合、精算待ちの他の顧客からも現在精算中の顧客の購入商品の内容、例えば、商品名を前記客用表示部の表示から知ることができる。従って、例えば、顧客が購入する商品が医薬品（例えば、痔の薬（座薬）、水虫の薬等）で、該購入商品の商品名を他の顧客に知られたくないと思っていても、上記した既存のＰＯＳレジスタでは客用表示部に購入商品の商品名が表示されるため、顧客に嫌な、気恥ずかしい思いをさせてしまうという欠点があった。
【０００４】
そこで、上記問題を解決するものとして、商品に合わせて客用の表示情報を差し替えて表示することにより、他の客に知られることなく、安心して商品を購入することができるＰＯＳ端末装置が提案されている（例えば、特許文献１参照）。
特許文献１に記載の表示情報を差し替える方法は、商品情報ファイルに格納された対象とする商品情報毎に、表示情報を差し替えて表示する特定商品を表すフラグ（表示差し替えフラグ）を設定し、入力された商品コードに対応する商品情報に前記フラグが設定されている場合は、商品情報の商品名称を差し替え情報に差し替えて表示するというものである。
【０００５】
そのため、特許文献１に記載の方法では、商品マスタファイルに登録した商品毎に特定商品を表すフラグを設定しなければならず、作業者は商品マスタファイルへの商品登録、メンテナンス等の作業に手間と時間を要する、或いは、設定忘れを生じさせてしまう可能性があるという問題を有する。
【先行技術文献】
【特許文献】
【０００６】
【特許文献１】特開平７−２６２４５２号公報
【発明の概要】
【発明が解決しようとする課題】
【０００７】
上記従来の技術が有する問題点に鑑みてなされたもので、その課題とするところは、商品マスタファイルの設定を変更することなく、客用表示部への表示内容を確実に変えることができるＰＯＳレジスタを提供することにある。
【課題を解決するための手段】
【０００８】
上記課題を解決するために本発明のＰＯＳレジスタは、購入商品に応じて客用表示部に表示される商品情報が、商品マスタファイルに登録された商品名称と異なる名称に変更されるようにした。
即ち、顧客の購入商品に付されたコード情報を読み取ることで、記憶手段に記憶された商品情報を読み出し、その商品情報を店員用表示部と客用表示部とに表示するＰＯＳレジスタにおいて、前記店員用表示部と客用表示部とに表示する商品情報を対象とするキーワードと、そのキーワードに対する表示変更情報とを設定記憶させたキーワードファイルを備え、前記購入商品のコード情報の読み取りで読み出した商品情報で前記客用表示部に表示する情報内に、前記キーワードファイルに設定したキーワードが含まれているか否かを検索し、前記読み出した商品情報内に該当するキーワードが含まれている場合、前記キーワードを含む前記商品情報で前記客用表示部に表示する情報を前記表示変更情報に従い変更して前記客用表示部に表示することを特徴とする。
【０００９】
前記キーワードファイルに登録されるキーワードとしては、他の顧客に購入商品の内容を知られたくない、或いは知られると恥ずかしいと思われる例えば品名（商品名称）等に含まれる文言、例えば、「痔」、「サニタリ」、「生理用」等が挙げられるが、特に限定されず、商品マスタと関係なく適時、キーワードの追加、修正をすることができる。
【００１０】
前記キーワードファイルに設定記憶される表示変更情報は、前記キーワードに応じて設定されている。その表示変更情報としては、例えば、その商品を分類分けする場合の大分類名、中分類名、小分類名、或いは部門名など、当該商品の上位の包括名称、又は、品名に含まれるキーワード（対象文字）を他の文言、記号等（例えば、「スペース」）に置換、或いはキーワード（対象文字）を「非表示」にする（例えば、品名内に含むキーワードを除き品名を縮める、品名内のキーワード部分を空白にする）等が挙げられる。
【００１１】
また、前記ＰＯＳレジスタは購入商品の会計情報をレシートに印字する印字部を備え、該印字部は会計精算時、前記キーワードが含まれた品名について、前記設定された表示変更情報を無視して商品マスタファイルに登録された名称を印字するようにする。
【００１２】
上記手段によれば、ＰＯＳレジスタで商品マスタファイルより購入商品の商品情報を読み出した時、記憶手段に別ファイルで記憶したキーワードファイルを用いてキーワード検索し、前記商品の品名（客側表示部に表示する名称）内に前記キーワードファイルに登録されている文言が含まれているか判断される。そして、当該品名内に前記キーワードファイルに登録されている文言が含まれている場合には、前記キーワードファイルにキーワード毎に設定された表示変更情報に従って、客用表示部へ表示する品名等が変更される。従って、精算時、顧客に気恥ずかしい、嫌な思いをさせることがない。
【発明の効果】
【００１３】
本発明のＰＯＳレジスタは、商品情報が登録された商品マスタファイルをメンテナンスすることなく、表示変更したいキーワードを登録したキーワードファイルのみをメンテナンスしておけば、商品マスタファイルから商品情報を読み出した時、自動的にキーワード検索が行われ、該当するキーワードを含む品名に関しては、客用表示部に表示する品名が変更される。従って、従来装置に比べて、商品マスタファイルをメンテナンスする手間や時間を軽減でき、更に、キーワードの設定登録は商品マスタファイルのメンテナンスに比べて簡単なので設定間違い、設定忘れを起こすこともない。
【図面の簡単な説明】
【００１４】
【図１】本発明に係るＰＯＳレジスタの実施の形態の一例を示す外観図で、（ａ）は正面図、（ｂ）は同側面図。
【図２】図１に示したＰＯＳレジスタの電気的構成を示すブロック図。
【図３】商品マスタファイルの構成の一例を示す説明図。
【図４】キーワードファイルの構成の一例を示す説明図。
【図５】客用表示部と店員用表示部の表示状態を示す説明図で、（ａ）は客用表示部、（ｂ）は店員用表示部。
【図６】実施の形態による会計精算の流れを示すフローチャート。
【発明を実施するための形態】
【００１５】
以下、本発明に係るＰＯＳレジスタの実施の形態の一例を図面に基づいて説明する。
図１は、本発明の一実施形態によるＰＯＳレジスタの外観正面図と側面図である。
図１に示すＰＯＳレジスタＡは、店員用表示部１と客用表示部２を備えた今日周知の形態のもので、前記店員用表示部１は該ＰＯＳレジスタを操作する店員に対する表示部であると同時に、モード切替、設定、登録等の入力操作が可能な操作部として機能するタッチパネルである。
客用表示部２は、後述するＣＰＵからの表示指示に従って所定の情報を表示することにより、顧客に対して購入商品の商品名称（品名）や値段等を通知するもので、液晶表示器で構成され、レジスタ本体の上部に顧客と対向するように配置されている。
【００１６】
また、前記ＰＯＳレジスタＡは、商品登録の完了入力や精算時において顧客から受け取った預かり金額などの数字データの入力等を行うための操作部３を備え、入力されたデータは後述するＣＰＵに供給される。前記操作部３はテンキーと各種キーを備えたキーボードで構成されている。
また、符号４は印字部で、後述するＣＰＵからの印字指示に従って登録・精算された購入商品のレシートなどの印字を行う。
【００１７】
図２は図１に示したＰＯＳレジスタＡに内蔵されるマイクロコンピュータの電気回路の構成を示すブロック図である。図２において、符号５はＰＯＳレジスタＡの動作全体を制御するＣＰＵ（中央処理装置）であり、図示するようにバスを介してＲＯＭ６、ＲＡＭ７、店員用表示部１、操作部３、客用表示部２、印字部４、スキャナ部８、通信部９が接続されている。
ＲＯＭ６は、前記ＣＰＵ５が実行するプログラムが記憶されており、ＣＰＵ５の処理を規定したプログラム等が格納されている。
ＲＡＭ７は、前記ＣＰＵ５の演算処理で使用される各種データを格納し、バッテリ（図示省略）によってバックアップされている。本実施の形態では商品マスタファイルＦ１（図３参照）、キーワードファイルＦ２（図４参照）、その他各種のデータファイルをストアコントローラから取得してＲＡＭ７に記憶する。
【００１８】
スキャナ部８は、商品に貼付されたバーコードを読み取り、そのデータをＣＰＵ５に供給する。尚、このスキャナ部８は、例えば、ＰＯＳレジスタＡに有線で接続され、読み取ったデータを有線でＰＯＳレジスタＡに送信する構成、或いは、無線によってＰＯＳレジスタＡに接続し、読み取ったデータをＰＯＳレジスタＡに無線によって送信するように構成してもよい。
通信部９は、ＬＡＮを介した通信によって外部（例えば、ストアコントローラ）とデータ交換を行うもので、ストアコントローラが保持している登録処理用の商品マスタファイルＦ１（ＰＬＵファイル）をダウンロードしたり、逆に売り上げデータをストアコントローラにアップロードしたりする。
そして、前記ＣＰＵ５にバスを介して接続された各部は相互に通信可能となっている。
【００１９】
商品マスタファイルＦ１は、図３に示すように、商品の商品コード（商品ＣＤ）毎に商品名称（品名）（店員用表示部及び客用表示部に表示される名称）、部門コード（部門ＣＤ）、部門名（各商品を分類するために上位概念化されたグループ名称）、価格等の商品情報を対応付けて記憶保持するファイル構造を備えている。この商品マスタファイルＦ１は、売上処理の際に用いられるものであって、スキャナ部８により読み取られた商品コードに基づいて商品名称（品名）、価格等の商品情報を取得するためのものである。
【００２０】
キーワードファイルＦ２は、他の顧客に購入商品の内容を知られたくない、或いは知られると恥ずかしいと思われる商品名称に含まれる文言、用語等を検索するキーワードを設定登録したもので、図４に示すように、前記キーワード毎に表示対象（商品名称に変えて表示する表示内容）、置換テキスト（表示対象の対象文字の置換内容）等が設定されている。前記キーワードとしては、例えば、商品名称「痔の薬」の「痔」、商品名称「サニタリショーツ」の「サニタリ」、商品名称「生理用ナプキン」の「生理用」等が挙げられる。そして、キーワード「痔」が商品名称に含まれている場合（例えば、商品名称「痔の薬」）、表示対象が「部門名」と設定されている為、客用表示部２には商品名称「痔の薬」に変えて商品マスタファイルに登録されている部門名の「医薬品２」が表示される。同様に、キーワードの「サニタリ」が商品名称に含まれている場合（例えば、商品名称「サニタリショーツ」）、表示対象が「対象文字置換」と設定されている為、客用表示部２には商品名称「サニタリショーツ」の「サニタリ」の部分をスペースに置き換えて「  （スペース）ショーツ」と表示される。同様に、キーワードの「生理用」が商品名称に含まれている場合（例えば、品名「生理用ナプキン」）、表示対象が「対象文字非表示」と設定されている為、客用表示部２には商品名称「生理用ナプキン」の「生理用」の部分を非表示として「ナプキン」と表示される。
表示対象が対象文字置換の場合の置換テキストの内容としては、例えば図４に示す「スペース」の他に、※（米印）、図形、記号等が挙げられる。
このキーワードファイルＦ２は、前記商品マスタファイルＦ１と関係なく、随時、キーワードの追加登録、削除等のメンテナンスを行うことができる。
図中、１０は自動釣銭機、１１は金銭が収納されているキャッシュドロアである。
【００２１】
次に、本実施の形態のＰＯＳレジスタＡが有する特長的な機能である購入商品の精算時における客用表示部２の表示変更処理の流れを図６に基づいて説明する。ここで、図６は客用表示部２における表示変更処理の流れを概略的に示すフローチャートで、同時に実行される店員用表示部１の表示については本発明と関係ないため説明は省略する。表示変更処理は、モードキー（図示省略）の切り換え操作によって登録モードに設定されていることを条件として実行される。また、商品マスタファイルＦ１とキーワードファイルＦ２は、ＰＯＳレジスタの起動時に通信部９を介してストアコントローラからダウンロードされてＲＡＭ７に記憶される。
ＳＴ１…購入商品のコード情報（バーコード）をスキャナ部で読み取る。
ＳＴ２…前記コード情報と合致する商品情報が商品マスタファイルＦ１から読み出される
。
ＳＴ３…前記読み出した商品情報の商品名称中に、キーワードファイルＦ２に設定登録さ
れているキーワードが含まれているか否かのキーワード検索が実行される。商品
名称中にキーワードファイルＦ２に登録されているキーワードが含まれている場
合（YES）はＳＴ４に進み、商品名称中にキーワードが含まれていない場合(NO）
はＳＴ６に進む。
【００２２】
ＳＴ４…商品名称に含まれているキーワードに対する表示方法（表示対象）に従い、客用
表示部へ表示する商品名称の変更内容が決定される。例えば、コード情報に基づ
いて読み出した商品名称が前記例の「痔の薬」である場合、キーワードファイル
Ｆ２に登録されているキーワード「痔」を含んでいる為、当該キーワードの表示
対象に従って部門名（商品マスタファイルＦ１に設定登録されている部門名）が
表示名称となる。
ＳＴ５…キーワードファイルＦ２の表示対象の指示に従って客用表示部２に表示される。
前記例の商品名称「痔の薬」は、部門名の「医薬品２」が客用表示部に表示され
る（図５（ａ）参照）。尚、店員用表示部には図５（ｂ）に示すように商品マス
タファイルＦ１に登録されている商品名称「痔の薬」がそのまま表示される。
ＳＴ６…商品名称中にキーワードファイルＦ２に登録されているキーワードが含まれてい
ないため、客用表示部には商品マスタファイルＦ１に登録されている商品名称が
そのまま表示される。
ＳＴ７…購入商品の登録を完了する。
ＳＴ８…次の購入商品の登録がある場合（NO）はＳＴ１に戻ってそれ以降の動作を繰り返
し、購入商品がない場合（YES）はＳＴ９に進む。
ＳＴ９…操作部の預／現計キーが操作されて締めが宣告され、消費税額、売上合計金額等
が算出され、顧客より現金或いはカードを預かって会計処理を行い、レシートを
印字部で印字発行して一顧客の精算処理を終了する。
【００２３】
本発明に係るＰＯＳレジスタは上記したように、起動時にメモリ（ＲＡＭ７）にキーワードファイルをダウンロードして記憶し、顧客が購入する商品の登録時に読み出した商品情報の商品名称内に、前記メモリに記憶したキーワードファイルに登録されたキーワードを含んでいるか検索し、キーワードを含んでいる場合は、そのキーワードに対する表示方法に従い客用表示部に商品名称が変更して表示される。
従って、従来装置のように商品マスタファイルをメンテナンスすることなく、表示を変更したいキーワード（文言、用語等）のみを前記商品マスタファイルとは別のキーワードファイルに登録しておくことで、購入商品のコード情報を読み込むことで前記キーワード検索が自動的に行われ、客用表示部へ表示する商品名称の変更が行われる。よって、オペレータは商品マスタファイルに比べてデータ量が大幅に少ないキーワードファイルのメンテナンスで済むため、その手間や時間を大幅に軽減できるとともに、キーワードの設定登録が簡単なので、設定間違いや設定忘れを起こすこともない。
【００２４】
本発明のＰＯＳレジスタは図示した実施の形態に限定されず、本発明の要旨を変更しない範囲内で適宜変更可能である。
（１）実施の形態では、商品マスタファイルとキーワードファイルはストアコントローラからダウンロードしてメモリに記憶する例を示したが、これに限定されず、例えば、ＰＯＳレジスタがハードデスクドライブ（ＨＤＤ）を備え、それに前記ファイルを格納してもよい。
（２）実施の形態では、キーワードファイルに設定登録したキーワード毎の表示対象（変更方法）として三種類（部門名、対象文字置換、対象文字非表示）を挙げたが、これに限定されず、例えば、全てを部門名とする、或いは表示対象を二種類にする等、任意である。
（３）実施の形態では、キーワードファイルとして「キーワード」、「表示対象」、「置換テキスト」の項目を設けた例を示したが、これに限らず、例えば代表商品の「ＪＡＮコード」を設けてもよい。
（４）実施の形態では、客用表示部に表示する商品名称を対象として表示形態を変更しているがこれに限らず、キャッチコピー、広告文、説明文など客用表示部に表示する商品マスタ等に設定されている項目等で、客が不快に思う言葉（文字）が含まれている場合、その項目を表示形態を変更する対象としてもよい。
【符号の説明】
【００２５】
Ａ…ＰＯＳレジスタ                      １…店員用表示部
２…客用表示部                          ４…印字部
Ｆ１…商品マスタファイル                Ｆ２…キーワードファイル
７…ＲＡＭ（記憶手段）
【図１】
2013206374.tif 000003
【図２】
2013206374.tif 000004
【図３】
2013206374.tif 000005
【図４】
2013206374.tif 000006
【図５】
2013206374.tif 000007
【図６】
2013206374.tif 000008